(57)【要約】【課題】スクランブル放送信号のチャンネルを選局する際の利便性を改善する。【解決手段】放送受信装置１００は、論理チャンネル毎に番組を放送するデジタルテレビジョン放送による放送番組のスクランブルを、着脱自在のＩＣカード４１により解除する。放送受信装置１００にＩＣカード４１が装着されたことをカードディテクタ２８が検出したことに応じて、チューナ１６、デジタル復調器１８およびＭＰＥＧデコーダ２２が抽出するべき番組放送の論理チャンネルを、メモリ１０Ｂに格納された情報が指すスクランブルがされた放送番組に対応する所定の論理チャンネルに指定する。【選択図】図１
2009177709.tif 000002
【特許請求の範囲】
【請求項１】
物理チャンネルに多重化した複数の論理チャンネルを形成し、この論理チャンネル毎に番組を放送するデジタルテレビジョン放送による放送番組のスクランブルを、着脱自在のモジュールにより解除する放送受信装置であって、
前記物理チャンネルに多重化した複数の論理チャンネルを指す情報を格納するチャンネル格納部と、
放送局から送信される前記デジタルテレビジョン放送を受信し、指定された物理チャンネルの放送を選局して抽出する選局部と、
前記選局部が抽出する放送から、指定された論理チャンネルによる番組放送を選択的に抽出する放送受信部と、
前記放送受信装置に前記モジュールが装着されたか否かを検出するモジュール検出部と、
前記モジュールが装着されたことを前記モジュール検出部が検出したことに応じて、前記放送受信部が抽出するべき番組放送の論理チャンネルを、前記チャンネル格納部に格納された情報が指す所定の論理チャンネルに指定する制御部と、を備え、
前記指定される物理チャンネルが切換えられる毎に、
前記選局部は、放送局から受信する前記デジタルテレビジョン放送のうち、切換え後の物理チャンネルの放送を選局して抽出し、かつ、
前記チャンネル格納部は、格納する情報を、前記選局部が抽出する放送のうち、スクランブルされた番組放送に対応する論理チャンネルを指す情報を用いて更新し、
前記論理チャンネルを指す情報は、当該論理チャンネルの番号を指し、
前記制御部は、前記放送受信部が抽出するべき前記論理チャンネルを、前記チャンネル格納部に格納された論理チャンネルの番号のうち、最小値の番号を指す前記論理チャンネルに指定し、
放送番組に対応する論理チャンネルを指す情報は、物理チャンネルの放送に多重化されており、
前記選局部が抽出する物理チャンネルの放送から、放送番組に対応する論理チャンネルを指す情報を抽出して前記チャンネル格納部に出力するチャンネル情報処理部をさらに備え、
前記デジタルテレビジョン放送は、ＤＶＢ−Ｔ（Digital Video Broadcasting for Terrestrial）方式に従う放送であり、
前記モジュールは、ＩＣカードからなる、放送受信装置。
【請求項２】
物理チャンネルに多重化した複数の論理チャンネルを形成し、この論理チャンネル毎に番組を放送するデジタルテレビジョン放送による放送番組のスクランブルを、着脱自在のモジュールにより解除する放送受信装置であって、
前記物理チャンネルに多重化した複数の論理チャンネルのうち、スクランブルされた番組放送に対応する論理チャンネルを指す情報を格納するチャンネル格納部と、
放送局から送信される前記デジタルテレビジョン放送を受信し、指定された物理チャンネルの放送を選局して抽出する選局部と、
前記選局部が抽出する放送から、指定された論理チャンネルによる番組放送を選択的に抽出する放送受信部と、
前記放送受信装置に前記モジュールが装着されたか否かを検出するモジュール検出部と、
前記モジュールが装着されたことを前記モジュール検出部が検出したことに応じて、前記放送受信部が抽出するべき番組放送の論理チャンネルを、前記チャンネル格納部に格納された情報が指す所定の論理チャンネルに指定する制御部と、を備える放送受信装置。
【請求項３】
前記指定される物理チャンネルが切換えられる毎に、
前記選局部は、放送局から受信する前記デジタルテレビジョン放送のうち、切換え後の物理チャンネルの放送を選局して抽出し、かつ、
前記チャンネル格納部は、格納する情報を、前記選局部が抽出する放送のうち、スクランブルされた番組放送に対応する論理チャンネルを指す情報を用いて更新する、請求項２に記載の放送受信装置。
【請求項４】
前記論理チャンネルを指す情報は、当該論理チャンネルの番号を指し、
前記制御部は、前記放送受信部が抽出するべき前記論理チャンネルを、前記チャンネル格納部に格納された論理チャンネルの番号のうち、最小値の番号を指す前記論理チャンネルに指定する、請求項２または３に記載の放送受信装置。
【請求項５】
放送番組に対応する論理チャンネルを指す情報は、物理チャンネルの放送に多重化されており、
前記選局部が抽出する物理チャンネルの放送から、放送番組に対応する論理チャンネルを指す情報を抽出して前記チャンネル格納部に出力するチャンネル情報処理部をさらに備える、請求項２から４のいずれかに記載の放送受信装置。
【請求項６】
前記デジタルテレビジョン放送は、ＤＶＢ−Ｔ（Digital Video Broadcasting for Terrestrial）方式に従う放送である、請求項２から５のいずれかに記載の放送受信装置。
【請求項７】
前記モジュールは、ＩＣカードからなる、請求項２から６のいずれかに記載の放送受信装置。
【発明の詳細な説明】
【技術分野】
【０００１】
この発明は放送受信装置に関し、特に、スクランブルがかけられた放送信号のスクランブルデコードがデコードの為の情報を記録したＩＣ（Integrated Circuit）カードなどのモジュールの使用によって可能となる放送受信装置に関する。
【背景技術】
【０００２】
従来からデジタル放送においては、料金を支払う契約者だけが受信できるよう、放送事業者側で放送に電波を乱す暗号化（スクランブル）をかけて送信するＣＡＳ（Condition Access System：限定受信システム）による有料視聴サービスが行なわれている。たとえば、衛星デジタル放送では、放送局は、有料視聴サービスの契約者に予め鍵コードを記録したＩＣカードなどの記録媒体を配布する。放送局からスクランブルがかかった有料放送番組の信号を受信する装置に、ユーザが記録媒体を挿入すると、受信装置では記録媒体に記録された鍵コードを用いて、受信した放送信号のスクランブルの解除（暗号化のための符号を復号する：デスクランブル）がされる。これにより、スクランブルがかけられたために画像が極端にゆがんだり、モザイクがかかったりした画面は、正常な画面に戻されて、ユーザは有料番組を視聴することが可能となる。
【０００３】
装置に記憶機能を有する媒体を挿入することでスクランブル放送の受信を可能とする構成は、たとえば特許文献１〜５に開示がある。
【０００４】
特許文献１はプリペイドカード利用の衛星放送受信機に関し、カード挿入により情報をカードから読出し、読出した情報に基づきスクランブルを解除する構成を示す（特許文献１の段落０００４を参照）。
【０００５】
特許文献２はデジタル放送受信再生システムに関し、カードの挿入を検出してデスクランブルを行なう構成を示す（特許文献２の段落０００６を参照）。
【０００６】
特許文献３はデジタル放送受信装置に関し、カードの挿入を判定し、挿入されていない場合には視聴案内番組に切替える構成を示す（特許文献３の段落００１２を参照）。
【０００７】
特許文献４は放送受信システムに関し、ＩＣカードを挿入し、コンテンツのスクランブルを解除する構成を示す（特許文献４の段落００１６を参照）。
【０００８】
特許文献５はＩＤカードの挿入を検出し、画像の表示を開始する構成を示す（特許文献５の段落０００５を参照）。
【特許文献１】特開平５−２０７４６４号公報
【特許文献２】特開２００６−２７０１５１号公報
【特許文献３】特開２００５−３０３７５９号公報
【特許文献４】特開２０００−１３７７３号公報
【特許文献５】特開平１１−１２２５４９号公報
【発明の開示】
【発明が解決しようとする課題】
【０００９】
ユーザが放送受信装置にデスクランブル用のカードを挿入するのは、有料放送を視聴したいとの要求を示すものであるから、カード挿入を検出するとスクランブル放送チャンネル選局の動作に速やかに移行すれば、ユーザの要求に応えることができ、利便性が増す。
【００１０】
しかしながら、上述した各文献など従来技術では、カードの挿入を検出すると自動的に有料放送番組を選局する動作を行なうことはないので、ユーザの要求には応えることができなかった。
【００１１】
それゆえにこの発明の目的は、スクランブル放送信号のチャンネルを選局する際の利便性が改善された放送受信装置を提供することである。
【課題を解決するための手段】
【００１２】
この発明のある局面に従うと、物理チャンネルに多重化した複数の論理チャンネルを形成し、この論理チャンネル毎に番組を放送するデジタルテレビジョン放送による放送番組のスクランブルを、着脱自在のモジュールにより解除する放送受信装置は、物理チャンネルに多重化した複数の論理チャンネルのうち、スクランブルされた番組放送に対応する論理チャンネルを指す情報を格納するチャンネル格納部と、放送局から送信されるデジタルテレビジョン放送を受信し、指定された物理チャンネルの放送を選局して抽出する選局部と、選局部が抽出する放送から、指定された論理チャンネルによる番組放送を選択的に抽出する放送受信部と、放送受信装置にモジュールが装着されたか否かを検出するモジュール検出部と、モジュールが装着されたことをモジュール検出部が検出したことに応じて、放送受信部が抽出するべき番組放送の論理チャンネルを、チャンネル格納部に格納された情報が指す所定の論理チャンネルに指定する制御部と、を備える。
【００１３】
そして、指定される物理チャンネルが切換えられる毎に、選局部は、放送局から受信するデジタルテレビジョン放送のうち、切換え後の物理チャンネルの放送を選局して抽出し、かつ、チャンネル格納部は、格納する情報を、選局部が抽出する放送のうち、スクランブルされた番組放送に対応する論理チャンネルを指す情報を用いて更新し、論理チャンネルを指す情報は、当該論理チャンネルの番号を指し、制御部は、放送受信部が抽出するべき論理チャンネルを、チャンネル格納部に格納された論理チャンネルの番号のうち、最小値の番号を指す論理チャンネルに指定し、放送番組に対応する論理チャンネルを指す情報は、物理チャンネルの放送に多重化されており、選局部が抽出する物理チャンネルの放送から、放送番組に対応する論理チャンネルを指す情報を抽出して前記チャンネル格納部に出力するチャンネル情報処理部をさらに備える。
【００１４】
デジタルテレビジョン放送は、ＤＶＢ−Ｔ（Digital Video Broadcasting for Terrestrial）方式に従う放送であり、モジュールは、ＩＣカードからなる。
【００１５】
この発明の他の局面に従うと、物理チャンネルに多重化した複数の論理チャンネルを形成し、この論理チャンネル毎に番組を放送するデジタルテレビジョン放送による放送番組のスクランブルを、着脱自在のモジュールにより解除する放送受信装置は、物理チャンネルに多重化した複数の論理チャンネルのうち、スクランブルされた番組放送に対応する論理チャンネルを指す情報を格納するチャンネル格納部と、放送局から送信されるデジタルテレビジョン放送を受信し、指定された物理チャンネルの放送を選局して抽出する選局部と、選局部が抽出する放送から、指定された論理チャンネルによる番組放送を選択的に抽出する放送受信部と、放送受信装置にモジュールが装着されたか否かを検出するモジュール検出部と、モジュールが装着されたことをモジュール検出部が検出したことに応じて、放送受信部が抽出するべき番組放送の論理チャンネルを、チャンネル格納部に格納された情報が指す所定の論理チャンネルに指定する制御部と、を備える。
【００１６】
好ましくは、指定される物理チャンネルが切換えられる毎に、選局部は、放送局から受信するデジタルテレビジョン放送のうち、切換え後の物理チャンネルの放送を選局して抽出し、かつ、チャンネル格納部は、格納する情報を、選局部が抽出する放送のうち、スクランブルされた番組放送に対応する論理チャンネルを指す情報を用いて更新する。
【００１７】
好ましくは、論理チャンネルを指す情報は、当該論理チャンネルの番号を指し、制御部は、放送受信部が抽出するべき論理チャンネルを、チャンネル格納部に格納された論理チャンネルの番号のうち、最小値の番号を指す論理チャンネルに指定する。
【００１８】
好ましくは、放送番組に対応する論理チャンネルを指す情報は、物理チャンネルの放送に多重化されており、選局部が抽出する物理チャンネルの放送から、放送番組に対応する論理チャンネルを指す情報を抽出してチャンネル格納部に出力するチャンネル情報処理部をさらに備える。
【００１９】
好ましくは、デジタルテレビジョン放送は、ＤＶＢ−Ｔ（Digital Video Broadcasting for Terrestrial）方式に従う放送である。
【００２０】
好ましくは、モジュールは、ＩＣカードからなる。
【発明の効果】
【００２１】
発明のよれば、論理チャンネル毎に番組を放送するデジタルテレビジョン放送による放送番組のスクランブルを、着脱自在のモジュールにより解除する放送受信装置は、当該放送受信装置にモジュールが装着されたことをモジュール検出部が検出したことに応じて、放送受信部が抽出するべき番組放送の論理チャンネルを、チャンネル格納部に格納された情報が指すスクランブルがされた放送番組に対応する所定の論理チャンネルに指定する。
【００２２】
したがって、ユーザがスクランブル放送を視聴したいとの要望に応じて、言い換えるとユーザがスクランブルを解除するためのモジュールを放送受信装置に装着したことを検出したことに応じて、放送受信装置は、スクランブルがされた放送番組に対応する所定の論理チャンネルを選局するように動作するので、スクランブル放送信号のチャンネルを選局する際の利便性が改善される。
【発明を実施するための最良の形態】
【００２３】
以下、この発明の実施の形態について図面を参照しながら詳細に説明する。なお、図面の同一または相当部分については、同一符号を付してその説明は繰返さない。
【００２４】
本実施の形態では、放送受信装置は、スクランブル放送信号のデスクランブルのための情報を記録したＩＣカードの装着を検出したことに応答して、スクランブル放送信号のチャンネルを自動的に選局する。
【００２５】
図１は、この発明の実施の形態に係る放送受信装置１００の概略構成図である。
図１を参照して、放送受信装置１００は、アンテナ４３およびモニタ４０を接続するとともに、外部のリモコン（リモートコントローラの略）４２から指令信号を受信する。アンテナ４３は、放送信号を受信し、受信した放送信号を放送受信装置１００に出力する。モニタ４０は、放送受信装置１００から出力された映像信号および音声信号を入力し、画面に画像を出力するとともに、スピーカから音声を出力する。
【００２６】
アンテナ４３は、図示のないテレビ放送局から電波で送信されてくる高周波数のＲＦ（Radio Frequency）信号であるデジタルテレビジョン放送信号を受信し、ＩＦ（Intermediate Frequency：中間周波数信号）に変換し放送受信装置１００に出力する。
【００２７】
リモコン４２は、ユーザによる操作を受付けて、操作に応じた指令信号を赤外線で放送受信装置１００に送信する。なお、リモコン４２から出力されるのは、赤外線の信号に限定されず、無線の信号であってもよい。また、リモコン４２および後述するリモコン受信部２６に代替して、または、リモコン４２およびリモコン受信部２６とともに、放送受信装置１００の本体に、ユーザからの操作を受付けて、操作信号を後述の制御部１０に出力する操作受付部を設けるようにしてもよい。
【００２８】
放送受信装置１００は、制御部１０、チューナ１６、デジタル復調器１８、ＭＰＥＧ（Moving Picture Experts Group）に従う復号機能を有するＭＰＥＧデコーダ２２、信号処理部２３、ＴＳ（Transport Stream）信号を処理するＴＳ処理部２４、ＴＳ処理部２４から出力された後述のＳＩ(program Specific Information)に基づき後述のチャンネルのリストを作成し、作成したリストを制御部１０のメモリ１０Ｂに格納する情報作成・格納部２５を含む。
【００２９】
さらに放送受信装置１００は、デジタル復調器１８とＭＰＥＧデコーダ２２の間に設けられるスイッチ（図面ではＳＷと略す）部２１、外部のＩＣカード４１が着脱自在に装着されるカードＩ／Ｆ（インターフェイスの略）２７、カードＩ／Ｆ２７にＩＣカード４１が装着されているか否かを検出するためのカードディテクタ２８および放送受信装置１００の各部に電力を供給するための電源（図面ではＰＷＲと略す）部２９を含む。
【００３０】
制御部１０は、プログラムを実行するＣＰＵ（Central Processing Unit）１０Ａと、各種のデータを記憶するメモリ１０Ｂとを含む。
【００３１】
チューナ１６は、アンテナ４３を介して受信した放送信号を入力し、入力した放送信号の中から、ＣＰＵ１０Ａからの指示（選局すべき物理チャンネルの情報を含む）に応じて選択した物理チャンネルに対応する放送信号を抽出して出力する。チューナ１６は、抽出した放送信号をデジタル復調器１８へ出力する。
【００３２】
デジタル復調器１８は、チューナ１６から放送信号を受けて、放送信号を映像および音声がデジタル符号化されたＴＳ信号に復調し、出力する。
【００３３】
スイッチ部２１は、デジタル復調器１８から与えられるＴＳ信号を、ＣＰＵ１０Ａからの切換信号に応じて、ＭＰＥＧデコーダ２２およびカードＩ／Ｆ２７のいずれか一方に出力する。
【００３４】
ＭＰＥＧデコーダ２２は、与えられるＴＳ信号を入力し、映像信号および音声信号に復号する。そして、復号した映像信号および音声信号を信号処理部２３に出力する。信号処理部２３は、ＭＰＥＧデコーダ２２から入力した映像信号および音声信号をモニタ４０に出力可能なように信号を処理し、信号処理した映像信号および音声信号をモニタ４０に出力する。モニタ４０は、与えられる映像信号を画像として表示し、音声信号をスピーカ（図示せず）から出力する。
【００３５】
また、ＭＰＥＧデコーダ２２は、与えられるＴＳ信号を、ＴＳ処理部２４に出力する。ＴＳ処理部２４は、入力するＴＳ信号から所定の情報を抽出し、抽出した後述のＳＩを情報作成・格納部２５に出力する。情報作成・格納部２５は、簡単なマイクロプロセッサの機能を有し、与えられるＳＩに基づき、チャンネルのリスト１１および１２（後述する図２参照）を作成する。作成したチャンネルのリスト１１および１２は、情報作成・格納部２５によって、制御部１０のメモリ１０Ｂの所定領域に格納される。
【００３６】
カードディテクタ２８は、ＩＣカード４１がカードＩ／Ｆ２７に装着されているか取り外されているかを検出し、その検出結果を制御部１０に出力する。ここで、ＩＣカード４１は、接触式ＩＣカードであると想定する。その場合、ＩＣカード４１がカードＩ／Ｆ２７に装着されると、ＩＣカード４１側に設けられた図示のない接点（端子）とカードＩ／Ｆ２７側に設けられた図示のない接点（端子）とが接触し、カードＩ／Ｆ２７側の接点の電位が変化する。カードディテクタ２８はカードＩ／Ｆ２７側の接点の電位を検出し、その検出結果に基づき、ＩＣカード４１がカードＩ／Ｆ２７に装着されたか否かを検出する。
【００３７】
制御部１０のＣＰＵ１０Ａは、カードディテクタ２８からの検出信号に基づき、ＩＣカード４１がカードＩ／Ｆ２７に装着されていることを検出すると、スイッチ部２１に対し、“Ｈ”レベルの信号を出力する。スイッチ部２１は、“Ｈ”レベルの信号を入力すると、応じてデジタル復調器１８から入力するＴＳ信号を、カードＩ／Ｆ２７側に出力する。逆に、制御部１０は、カードディテクタ２８からの検出信号に基づき、ＩＣカード４１がカードＩ／Ｆ２７に装着されていないことを検出すると、応じて“Ｌ”レベルの信号をスイッチ部２１に出力する。スイッチ部２１は、“Ｌ”レベルの信号が与えられると、デジタル復調器１８から入力するＴＳ信号を、ＭＰＥＧデコーダ２２側に出力する。
【００３８】
ＣＰＵ１０Ａはメモリ１０ＢのフラグＦを、カードディテクタ２８からの検出信号を入力する毎に、当該検出信号が指す値に更新する。したがって、ＣＰＵ１０Ａは、カードディテクタ２８から検出信号を入力するとき、メモリ１０ＢのフラグＦが指す状態と、カードディテクタ２８から入力した検出信号が指す状態とを比較することにより、ＩＣカード４１が抜き→装着に状態変化したか、または装着→抜きに状態変化したかを検出することができる。
【００３９】
カードＩ／Ｆ２７にＩＣカード４１が装着されているとき、デジタル復調器１８から出力されるＴＳ信号は、スイッチ部２１、カードＩ／Ｆ２７を介してＩＣカード４１に入力する。
【００４０】
ＩＣカード４１は、簡単なマイクロプロセッサの機能を有し、スクランブルのかかった有料放送を視聴を可能にするモジュールを構成する。具体的には、解除キー４１１を内部メモリに予め記憶するとともに、デスクランブル部４１２を有する。
【００４１】
デスクランブル部４１２は、カードＩ／Ｆ２７から入力するＴＳ信号を解析し、スクランブルがかけられているか否かを検出する。スクランブルがかかっている場合には、スクランブル解除（デスクランブル）の動作を行なう。具体的には、デスクランブル部４１２は、解除キー４１１を用いて暗号化されたデジタルのＴＳ信号の復号処理を行なって、復号したＴＳ信号を、カードＩ／Ｆ２７に出力する。したがって、スクランブルが解かれたＴＳ信号は、カードＩ／Ｆ２７からＭＰＥＧデコーダ２２に与えられる。
【００４２】
ＩＣカード４１にスクランブル化されていないＴＳ信号が与えられたときは、ＩＣカード４１のデスクランブル部４１２は動作せず、当該ＴＳ信号はＩＣカード４１をそのままスルーして出力される。そして、カードＩ／Ｆ２７を介してＭＰＥＧデコーダ２２に与えられる。
【００４３】
信号処理部２３は、ＯＳＤ（On Screen Display）回路２３１を有する。ＯＳＤ回路２３１は、制御部１０から与えられるデータに基づく画像信号を生成し、その生成した信号を、信号処理部２３から出力される映像信号に重畳してモニタ４０に出力する。これにより、データに基づく画像が重畳した番組の映像がモニタ４０の画面に映し出される。
【００４４】
このように、放送信号にスクランブルがかけられた有料番組を放送するデジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）方式がある。いずれの方式においても、ＣＡＳのために有料番組の放送信号はスクランブルの符号化（暗号化）がされて送信される。これらのデジタルテレビジョン放送では、物理チャンネルに多重化した複数の仮想的な論理チャンネルを形成し、この論理チャンネル毎に番組を放送する。
【００４５】
本実施の形態では、たとえばヨーロッパのＤＶＢ−Ｔ方式（ＥＴＳＩ（European Telecommunications Standards Institute） ＥＮ ３００ ４６８）における、デジタルテレビ放送を例示して説明する。
【００４６】
図３には、本実施の形態に係るＤＶＢ−Ｔ規格に従うＴＳ信号の一例が模式的に示される。ＴＳ信号は、１つの物理チャンネルに対応し１つ存在する。物理チャンネルとは、実際にアンテナ４３およびチューナ１６が受信する周波数を表すチャンネルであり、番号で指示される。また、１つのＴＳ信号には、複数の論理チャンネルの放送用のコンテンツの符号化された信号（映像信号および音声信号など）が含まれる。符号化された画像・音声のそれぞれを、ＥＳ（エレメンタリストリーム:Elementary Stream)と呼ぶ。このように、１つの物理チャンネルに複数の論理チャンネルが多重化されている。
【００４７】
図３では、ＴＳ信号に、たとえば、ＴＶ（テレビジョン）局ＡとＴＶ局Ｂという２つの放送局が送信する番組コンテンツのための論理チャンネルそれぞれに対応して、映像と音声のコンテンツが含まれる。また、ＴＳ信号では複数の番組(プログラム）を取り扱うことが可能であるが、そのＴＳ信号にどのような番組が存在し、ＴＳ信号に含まれる各ＥＳがどの番組に属しているかを記した情報をＳＩ(program Specific Information)という。ＳＩは動画や音声とは、別にＴＳ信号に挿入されて送信される。ＳＩは、当該ＴＳ信号に含まれる論理チャンネルに関する情報として、ＥＩＴ、ＳＤＴ、ＰＭＴおよびＢＡＴを含む。これらの情報は、放送局によって生成されて重畳されて放送される。
【００４８】
ＥＩＴ(Event Information Table)は、各局が放送する番組の名称や放送日時、放送内容など、番組に関連する情報を含む。具体的には、各局の現在および次の放送番組に関する情報が含まれる。ＳＤＴ(Service Description Table)には、ＴＶ局が放送する各番組に対応する論理チャンネルを識別するために論理チャンネルの番号が含まれる。ＰＭＴ(Program Map Table)は、番組毎に、当該番組を構成する画像や音声などに共通して割当された識別情報を格納する。ＰＭＴを解析することで、ＴＳ信号に含まれる各画像や音声などのコンテンツの識別情報を得ることができるので、得られた同一の識別情報を有する映像または音声をＴＳ信号から抽出することで、各番組を再生することができる。ＢＡＴは、各ＴＶ局の番組の放送信号についてスクランブルがかかっているか否かを指すサービス情報を含む。
【００４９】
ＴＳ処理部２４は、ＭＰＥＧデコーダ２２から出力されたＴＳ信号を解析し、ＳＩを抽出し、情報作成・格納部２５に与える。情報作成・格納部２５には、また、ＣＰＵ１０Ａから、チューナ１６によって現在、選局されている物理チャンネルの情報である物理チャンネルの番号が与えられる。
【００５０】
情報作成・格納部２５は、与えられるＳＩと選局中の物理チャンネルの情報を入力し、入力した情報に基づいて、図２に示す物理チャンネルと論理チャンネルの対応付けを示すリスト１１と、論理チャンネルのみの情報からなるリスト１２を作成し、作成したリストをメモリ１０Ｂに格納する。
【００５１】
図２を参照して、リスト１１は、放送受信装置１００が受信する物理チャンネル１１１のそれぞれに対応して、複数の論理チャンネル（ＬＣＮ）の番号を指すデータ１１２が格納される。データ１１２のそれぞれに対応して、当該データ１１２が指す論理チャンネルを用いて番組を放送するＴＶ局名を示すデータ１１３および当該番組のスクランブルの有無を指すデータ１１４を格納する。
【００５２】
また、リスト１２は、リスト１１から抽出したデータ１１２、１１３および１１４を用いて作成される。リスト１２は、リスト１１のデータ１１２、ＴＶ局名を示す１１３および１１４のそれぞれに対応する、論理チャンネル（ＬＣＮ）の番号を指すデータ１２２、データ１２３およびスクランブルの有無を指すデータ１２４を格納する。
【００５３】
図２のリスト１１と１２は、放送受信装置１００のチャンネルスキャンモードにおいて予め作成されてメモリ１０Ｂに格納される。チャンネルスキャンモードでは、デジタル復調器１８から出力されたＴＳ信号は、スイッチ部２１を介してＭＰＥＧデコーダ２２側に出力される。
【００５４】
チャンネルスキャンモードにおいては、ＣＰＵ１０Ａは、当該放送受信装置１００で受信可能な物理チャンネルのそれぞれについて、チューナ１６に指示して選局動作を行なわせる。この受信可能な物理チャンネルの情報はメモリ１０Ｂに予め格納されていると想定する。したがって、チューナ１６が各物理チャンネルの放送信号を受信するとき、各物理チャンネルについてのＴＳ信号は、ＭＰＥＧデコーダ２２からＴＳ処理部２４に与えられる。ＴＳ処理部２４はＴＳ信号からＳＩを抽出して、情報作成・格納部２５に出力する。また、受信中の物理チャンネルの情報は、ＣＰＵ１０Ａから情報作成・格納部２５に与えられる。
【００５５】
情報作成・格納部２５では、入力する物理チャンネルを指示する情報および当該物理チャンネルのＴＳ信号から抽出したＳＩに基づき、リスト１１および１２を作成してメモリ１０Ｂに格納する。これにより、リスト１１と１２は予め作成されて格納される。
【００５６】
次に、図４のフローチャートを参照し、放送受信装置１００における物理チャンネルおよび論理チャンネルのリスト１１および１２の更新手順について説明する。なお、図中の‘ＣＨ’はチャンネルの略称である。
【００５７】
ここで、放送受信装置１００の電源はＯＮされているとする。
まず、ＣＰＵ１０Ａは、リモコン受信部２６を介して入力する指令信号に基づき、ユーザがリモコン４２を操作し、物理チャンネルの切換操作をしたか否かを検出する（ステップＳ３）。物理チャンネルの切換操作の指令ではないと検出されると、処理はステップＳ３を繰返す。
【００５８】
物理チャンネルの切換指令であると検出されると（ステップＳ３でＹＥＳ）、ＣＰＵ１０Ａは、チューナ１６に指示して、切換え後の新たな物理チャンネルの選局動作を行なわせる（ステップＳ５）。
【００５９】
チューナ１６は、指定された新たな物理チャンネルの選局動作を行なうので、選局されたチャンネルの放送信号は、チューナ１６から出力されてデジタル復調器１８に与えられる。デジタル復調器１８は受信した放送信号を復調処理して、ＴＳ信号をスイッチ部２１に出力する。物理チャンネルの切換指令においては、スイッチ部２１は与えられるＴＳ信号をＭＰＥＧデコーダ２２に出力するようにＣＰＵ１０Ａにより切換えられている。したがって、ＭＰＥＧデコーダ２２は与えられるＴＳ信号をデコード処理して、ＴＳ処理部２４に与える。
【００６０】
ＴＳ処理部２４はＴＳ信号を入力し、入力したＴＳ信号からＳＩを抽出して情報作成・格納部２５に与える。したがって、情報作成・格納部２５は、与えられるＳＩに基づき、図２に示した物理チャンネルのリスト１１と論理チャンネルのリスト１２を新たに作成しメモリ１０Ｂに格納する（ステップＳ７、Ｓ９）。これにより、メモリ１０Ｂに格納されていた以前のリスト１１と１２は新たなリストにより上書きされて更新される。
【００６１】
このように、物理チャンネルの切換操作がされる都度、物理チャンネルのリスト１１と論理チャンネルのリスト１２とを更新することができる。したがって、物理チャンネルに重畳される論理チャンネルの情報が、ＴＶ放送局の都合で比較的頻繁に、且つダイナミックに変更されるなどの事情がある場合には（たとえばＡＴＳＣ方式など）、図４に従う更新処理を行なうようにすれば、当該変更に追従してリスト１１と１２の内容を実際の放送状態を指す最新の内容に近づけることが可能となる。
【００６２】
なお、図４のリスト更新処理は、物理チャンネルの切換え毎に行なうとしたが、実施のタイミングはこれに限定されない。たとえば、上述のチャンネルスキャンモードの処理を定期的に繰返すことで、リストの内容を最新状態に近づけるようにしてもよい。
【００６３】
次に、図５を参照して、ＩＣカード４１の挿入を検出すると、自動的に有料（スクランブル）放送の論理チャンネルを選局する動作について説明する。
【００６４】
ここでは、予めＩＣカード４１が抜かれていると想定し、説明を簡単にするために物理チャンネルの切換えに関する処理は略す。
【００６５】
まず、ＣＰＵ１０Ａはカードディテクタ２８から入力する検出信号に基づき、ＩＣカード４１が抜かれた状態→挿入状態に変化したか否かを検出する（ステップＳ１１）。
【００６６】
抜かれた状態→挿入状態に変化するまでは、ステップＳ１１の処理が繰返されるが、抜かれた状態→挿入状態に変化したことが検出されると（ステップＳ１１でＹＥＳ）、ＣＰＵ１０Ａは、メモリ１０Ｂのチャンネルのリスト１１と１２を検索する（ステップＳ１３）。具体的には、リスト１２を検索して、論理チャンネル番号のデータ１２２のうち、対応するデータ１２４が‘スクランブル有り’を指すデータ１２２であって、且つ最小値を指示するデータ１２２を特定して読出す。次に、読出したチャンネル番号のデータ１２２に基づきリスト１１を検索して、データ１２２の値と一致するデータ１１２を特定し、特定したデータ１１２に対応の物理チャンネルのデータ１１１をリスト１１から読出す。ここで、ＣＰＵ１０Ａは、リスト１２から読出したデータ１２２に基づく画像データを生成し、ＯＳＤ２３１に出力する。
【００６７】
次に論理チャンネルの選局動作が行なわれる（ステップＳ１５）。具体的には、ＣＰＵ１０Ａは、リスト１１から読出したデータ１１２が指示する物理チャンネルの選局を指示する信号をチューナ１６に出力する。また、ＣＰＵ１０Ａは、リスト１２から読出したデータ１２２に基づく論理チャンネルの選局の指令信号をＭＰＥＧデコーダ２２に出力する。
【００６８】
このとき、スイッチ部２１はＣＰＵ１０Ａから‘Ｈ’レベルの信号を入力するので、スイッチ部２１はデジタル復調器１８から入力するＴＳ信号を、カードＩ／Ｆ２７側に出力する。したがって、ＴＳ信号はカードＩ／Ｆ２７に装着されたＩＣカード４１のデスクランブル部４１２により解除キー４１１を用いてデスクランブル処理がされる。その後、当該ＴＳ信号はカードＩ／Ｆ２７を介してＭＰＥＧでコーダ２２に与えられる。
【００６９】
ＭＰＥＧデコーダ２２はＣＰＵ１０Ａからの指令信号に基づき、データ１２２が指示する論理チャンネルの番組のコンテンツ（映像・音声のデータ）を、カードＩ／Ｆ２７から入力するＴＳ信号から、ＳＩに基づき抽出し、抽出した番組コンテンツのデータをデコード処理してモニタ４側へ出力する。
【００７０】
したがって、ユーザが有料放送を視聴したいときにはＩＣカード４１を挿入するだけで、放送番組にスクランブル（有料）がかかった論理チャンネルのうち、最小番号の論理チャンネルを自動的に選局して、その番組の映像と音声をモニタ４０に出力することができる。
【００７１】
このときのモニタ４０の画面の表示例が図６に示される。図６（Ａ）のようにスクランブル無しの無料放送番組（たとえば、論理チャンネル‘１５’）を視聴していた場合に、ＩＣカード４１が挿入されると、図６（Ｂ）のように最小値を指すスクランブルがかかった論理チャンネル（図２のリスト１１によれば論理チャンネル‘２４’）の放送番組に切換えられる。画面には、デスクランブルされた番組の映像とともにＯＳＤ回路２３１によって論理チャンネルの番号が表示される。
【００７２】
なお、本実施の形態のステップＳ１５では、リスト１１に登録された論理チャンネル番号のうち最小値の論理チャンネルを選局するようにしているが、ＣＰＵ１０Ａが選局する基準はこれに限定されない。たとえば、同一ユーザであれば趣味・嗜好から、同一の論理チャンネルの放送番組を視聴する傾向が大きいであろうことに鑑みて、直前に視聴（選局）していた論理チャンネルを自動選局するようにしてもよい。
【００７３】
その後、ＣＰＵ１０Ａは、ユーザがリモコン４２により論理チャンネルの切換操作をしたか否かを、リモコン受信部２６から入力する信号に基づき検出する（ステップＳ１７）。論理チャンネルの切換はされていないと検出すると（ステップＳ１７でＮＯ）、処理は次のステップＳ２３に移る。
【００７４】
ステップＳ２３においては、ＣＰＵ１０Ａは、リモコン４２の操作を介して電源ＯＦＦの指示がされたか否かを検出する。電源ＯＦＦの指示がされたと検出すると（ステップＳ２３でＹＥＳ）、電源部２９を制御して電源オフの動作を行なわせ、一連の処理を終了する。一方、電源ＯＦＦの指示がされていないと検出すると（ステップＳ２３でＮＯ）、処理はステップＳ２５に移る。
【００７５】
ステップＳ２５では、ＣＰＵ１０Ａは、再度、ＩＣカード４１が挿入状態→抜かれた状態に変化したか否かをカードディテクタ２８から入力する検出信号に基づき検出する（ステップＳ２５）。ＩＣカード４１が抜かれたと検出すると（ステップＳ２５でＹＥＳ）、ステップＳ１１の処理に戻り、ステップＳ１１以降の処理を前述と同様に行なう。
【００７６】
一方、ＩＣカード４１が抜かれていない、すなわち依然として挿入された状態であると検出すると（ステップＳ２５でＮＯ）、処理はステップＳ１７に移る。
【００７７】
ステップＳ１７において、ＣＰＵ１０Ａは論理チャンネルの切換操作がされたことを検出すると（ステップＳ１７でＹＥＳ）、切換えられた新たな論理チャンネルについての情報を得るために、論理チャンネルのリスト１２を検索する（ステップＳ１９）。
【００７８】
ステップＳ１９の検索により、次位の論理チャンネルの情報をリスト１２から読出し、読出した情報に基づき、ステップＳ１５と同様な選局の動作が行なわれる。これにより、次位のスクランブルされた論理チャンネルの放送番組の映像・音声がモニタ４０から出力される（ステップＳ２１）。その後、処理はステップＳ２３に移り、以降、前述と同様の処理が行なわれる。
【００７９】
図７には、本実施の形態に係る放送受信装置１００と一体的に構成されるモニタ４０とリモコン４２の概観が示される。図を参照して、モニタ４０は、画面４０２を有し、前面部には、ＩＣカード４１を着脱自在に装着するためのカードスロット部４０３およびリモコン４２から送信された指令信号を受信するための受信部４０４を有する。カードスロット部４０３はカードＩ／Ｆ２７に関連して設けられる。
【００８０】
リモコン４２は、ボタン群およびボタン群の操作に応じた指令信号を送信するための送信部４３１を含む。ボタン群は、放送受信装置１００の電源をＯＮ/ＯＦＦするために操作されるボタン４２０、チャンネルを指定・切換えるためのボタン４２１、カーソル移動ボタン４２２および論理チャンネルの指定のために操作されるボタン４２３を有する。
【００８１】
チャンネル切換えは、ボタン４２１の操作に限定されず、ボタン４２２を操作してもよい。ボタン４２２を操作することでチャンネルのＵＰ操作（現在の選局チャンネルから番号が大きいチャンネルに切換える操作）、またはＤＯＷＮ操作（現在の選局チャンネルから番号が小さいチャンネルに切換える操作）の指令信号を送信するとができる。
【００８２】
ボタン４２１は物理チャンネルおよび論理チャンネルの指定・切換えのために兼用される。この兼用を可能にするために、次のように操作が認識される。つまり、ボタン４２３に続いてボタン４２１が操作された場合には、ボタン４２１の操作は論理チャンネルの切換え操作であると検出されて、論理チャンネル切換えの指令信号が送信される。そうでない場合には、ボタン４２１の操作は物理チャンネルの切換え操作であると検出されて、物理チャンネル切換えの指令信号が送信される。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８４】
【図１】本実施の形態に係る放送受信装置の構成図である。
【図２】本実施の形態に係るメモリに格納されるチャンネルのリストの一例を示す図である。
【図３】本実施の形態に係るＴＳ信号の構成を模式的に指す図である。
【図４】本実施の形態に係るチャンネルのリスト作成の処理フローチャートである。
【図５】本実施の形態に係るＩＣカード挿入時の論理チャンネル選局の処理フローチャートである。
【図６】（Ａ）と（Ｂ）は、本実施の形態に係る画面の表示例を示す図である。
【図７】本実施の形態に係る装置の概観を示す図である。
【符号の説明】
【００８５】
１０  制御部、１１  物理チャンネルのリスト、１２  論理チャンネルのリスト、１６  チューナ、１８  デジタル復調器、２１  スイッチ部、２２  ＭＰＥＧデコーダ、２３  信号処理部、２４  ＴＳ処理部、２５  情報作成・格納部、２７  カードＩ／Ｆ、２８  カードディテクタ、４０  モニタ、４１  ＩＣカード、４２  リモコン、１００  放送受信装置、４１１  解除キー、４１２  デスクランブル部。
【図１】
2009177709.tif 000003
【図２】
2009177709.tif 000004
【図３】
2009177709.tif 000005
【図４】
2009177709.tif 000006
【図５】
2009177709.tif 000007
【図６】
2009177709.tif 000008
【図７】
2009177709.tif 000009